(57)【要約】      （修正有）【課題】人差し指をしっかり固定して投球に集中可能にすると共に、スコアーの向上に寄与するボウリング用手首部制御具を提供する。【解決手段】本体１は、手首Ｌをこの手首の上側から被覆し装着するリストサポート部１ａと、手Ｈを上側から被覆し装着するハンドサポート部１ｂと、人差し指Ｆを上側から被覆するフィンガーサポート部１ｃとからなり、フィンガーサポート部１ｃは人差し指Ｆの一方の側面を受ける受け体７１と、人差し指Ｆの他方の側面に当接可能である人差し指調整体７２とを設けている人差し指位置調整部７を設け、人差し指調整体７２はフィンガーサポート部１ｃに取り付けられている支持軸部のねじ軸７３１を中心として回転可能にこのねじ軸に軸受され、受け体７１との間で人差し指Ｆを挟持可能であり、かつ人差し指固定バンド４の一端部を取り付けている。【選択図】図３
0003204934.tif 000002
【実用新案登録請求の範囲】
【請求項１】
手首をこの手首の上側から被覆して装着するリストサポート部、手を上側である甲側から被覆して装着するハンドサポート部及び人差し指を上側から被覆して装着するフィンガーサポート部より形成されている本体と、上記リストサポート部、上記ハンドサポート部及び上記フィンガーサポート部にそれぞれ設けてあるリスト固定バンド、ハンド固定バンド及び人差し指固定バンドとを具備しており、
上記フィンガーサポート部は、上記人差し指を固定する人差し指固定バンドを有し、上記ハンドサポート部と一体的に設けられていると共に、人差し指位置調整部を設けてあり、
この人差し指位置調整部は、上記人差し指の一方の側面を受け面で受ける受け体と、上記人差し指の他方の側面に当接可能である当接面を有する人差し指調整体とを設けてあり、
上記人差し指調整体は、上記フィンガーサポート部に取り付けられている支持軸部の支持軸を中心として回転可能にこの支持軸に軸受され、上記受け体との間で上記人差し指を挟持可能であり、上記人差し指固定バンドの一端部を取り付けており、
上記人差し指固定バンドは上記人差し指を掛け渡し状態で固定可能である
ことを特徴とするボウリング用手首部制御具。
【請求項２】
支持軸部の支持軸は、人差し指調整体に対向しているフィンガーサポート部の内面から外面に向けて伸びており、上記フィンガーサポート部に挿脱可能に保持されていることを特徴とする請求項１記載のボウリング用手首部制御具。
【請求項３】
人差し指位置調整部は補充用の人差し指調整体を備えており、この補充用の人差し指調整体の当接面は上記補充用の人差し指調整体の基端部側に向けてかつ人差し指の他方の側面に向けて当接可能に膨出されており、開き状態にある人差し指と上記人差し指調整体との隙間を充足するものであることを特徴とする請求項２記載のボウリング用手首部制御具。
【請求項４】
リストサポート部は、基端側を前腕側に伸ばしかつ上記前腕の端部の両側を囲む湾曲状に形成した補強サポート部を備えており、この補強サポート部にはその両側の各突出部に係合部を通じて係脱可能に補強固定バンドを取り付けてあることを特徴とする請求項１乃至請求項３のいずれかに記載のボウリング用手首部制御具。
【請求項５】
ハンドサポート部であって手の甲側と対向する内面には止着部を取り付けてあり、この止着部は上記手を覆うグロウブに取り付けかつ上記止着部と対向的に配置されている止着部に着脱可能であることを特徴とする請求項１乃至請求項４のいずれかに記載のボウリング用手首部制御具。
【考案の詳細な説明】
【技術分野】
【０００１】
この考案は、ボウリングのボールを投球する際、手及び手首である手首部に装着して、この手首部の動きを制御する手首部制御具に関する。
【背景技術】
【０００２】
ボウリング用手首部制御具は、所謂リストタイと呼ばれて販売されているボウリング用品の１つである。リストタイは、ボウリングの投球時に、予めプレイヤーであるボウラーの利き腕の手首部を覆うように当てて装着し、手首部である手首及び手に固定用のリストベルト及びハンドベルトをそれぞれしっかり巻き付けて使用するものである。
リストタイには、手首から手までを固定するベイシックタイプ、手首から手の人差し指までを固定するストレートタイプ及び強固に固定すると共に手首の角度を調整することができる金属製の可動式ハードタイプなどがある。前２者のタイプは、手首の柔軟性が阻害されるため、ボールを曲げたいという希望を満たすことができないが、手首及び手を固定して真っすぐの状態を保ちながら、スイング中の余分な手首の動きを規制すると共に、ボールのリリースを安定化させる利点がある。また、可動式ハードタイプは、オーバーターン（親指が抜けないままボールをひねること。）になりやすい弱点があるものの、手首の角度調整機能を備えているので、ボールをカーブさせたいという上記希望を満たすことができる。可動式ハードタイプに属する市販品として、メカテクター（商品名）やロボリスト（商品名）などが広く知られている。
可動式ハードタイプに相当する内容の発明に係る出願については、例えば特開平１０−１７４７３３号公報（発明の名称：ボウリング用手首規制具）、特開２０００−７０４３１（発明の名称：ボーリング用手首固定装置）及び特開２００２−７８４号公報（発明の名称：ボウリング用手首規制具）などが開示されている。第１番目の公開公報に記載のボウリング用手首規制具、第２番目の公開公報に記載のボーリング用手首固定装置及び第３番目の公開公報に記載のボウリング用手首規制具（以下、それぞれ「従来例１」、「従来例２」及び「従来例３」という。）は、いずれも基本構造が共通している。
そこで、従来例３について説明し、従来例１及び従来例２についての構成及び作用の各説明を省略する。
従来例３であるボウリング用手首規制具は、その本体をいずれも金属製の基体、中間体及び規制体で構成している。上記基体は、手首を覆うように被せてその上面部になじむように湾曲状となっている。そして、上記中間体は、上記基体の手首側に配置し、支軸により手首の左右方向へ回動自在に設けられている。中間体が手首の左右方向の所望の角度で上記基体をロックやアンロックを可能にするためのロック手段が設けられている。ロック手段には、中間体の後側に円弧状長穴が設けられ、この長穴内を通過し上記基体に設けた雌ネジに螺合され固定軸が設けられている。この固定軸の側面にはレバーが設けられている。このレバーを把持して上記固定軸が回転されると、上記中間体が上記固定軸により上記基体に押圧されて中間体が基体に対して所望の角度でロックされ、固定軸が逆方向に回転されると、アンロックされる。基体の上面には、中間体の回動位置を表示するための目盛りが刻設または印刷されており、この目盛りに対する中間体の端縁に設けた基線で角度が判別できるようにされている。また、上記規制体は金属製の板材により湾曲状に形成されており、上記中間体の幅方向の両側に支軸により手首の前後方向へ回動自在に設けられている。上記規制体は、手の甲と指に適合良く当てられるように構成されている。上記基体及び規制体には、手首（前腕）及び手の上面にそれぞれ巻き付けて、手首や手を固定するための止め部材が取り付けられている。
【先行技術文献】
【特許文献】
【０００３】
【特許文献１】特開平１０−１７４７３３号公報
【特許文献２】特開２０００−７０４３１号公報
【特許文献３】特開２００２−７８４号公報
【考案の概要】
【考案が解決しようとする課題】
【０００４】
従来例３によると、基体に対して規制体がゲームプレイヤーに応じた所定角度に維持されるので、ボールの投球時の手首の保護が図られ、レーンにおけるボールの転動方向を任意に変化させることができるので、スコアーアップが期待できる。
ところで、従来例３のボウリング用手首規制具をプレイヤーの手首部に取り付ける過程では、一方のバンドである第１止め部を手首（前腕）に巻き付け堅く締付け、他方のバンドである第２止め部を手に巻き付け堅く締付ける。すると、基体及び規制体には、手首（前腕）及び手首が固定される。
いずれの各従来例においても、ボウリング用手首規制具及びボーリング用手首固定装置の本体は手の甲と手首の上面部に当接状態に固定させるものの、人差し指の固定に関しては、この人差し指を固定バンドで規制するものが知られているが、さらに改善すべき課題がある。その課題とは、上記本体への固定力が手の人差し指まで十分及ばない傾向にあることである。この人差し指を固定バンドによって押圧して上下の動きを規制することができるものの、幅方向（左右方向）の動きの規制が比較的緩やかとなり、ボールの投球時に人差し指が不用意にぶれないようにしっかり固定するための神経を必要として、投球に集中できないことがしばしばあった。
この考案の目的は、人差し指をしっかり固定して投球に集中することができるようにして、スコアーの向上に寄与するボウリング用の手及び手首固定具を提供することにある。
【課題を解決するための手段】
【０００５】
この考案のボウリング用手首部制御具の第１の特徴は、手首をこの手首の上側から被覆して装着するリストサポート部、手を上側である甲側から被覆して装着するハンドサポート部及び人差し指を上側から被覆して装着するフィンガーサポート部より形成されている本体と、上記リストサポート部、上記ハンドサポート部及び上記フィンガーサポート部にそれぞれ設けてあってかつ手首を固定するリスト固定バンド、手を固定するハンド固定バンド及び人差し指を固定する人差し指固定バンドの各固定バンドとを具備している。上記フィンガーサポート部は、上記ハンドサポート部と一体的に設けられていると共に、人差し指位置調整部を設けてある。この人差し指位置調整部は、上記人差し指の一方の側面を受け面で受ける受け体と、上記人差し指の他方の側面に当接可能である当接面を有する人差し指調整体とを設けてある。上記人差し指調整体は、上記フィンガーサポート部に取り付けられている支持軸部の支持軸を中心として回転可能にこの支持軸に軸受され、上記受け体との間で上記人差し指を挟持可能であり、上記人差し指固定バンドの一端部を取り付けている。上記人差し指固定バンドは上記人差し指を掛け渡し状態で固定可能である。
この考案のボウリング用手首部制御具の第２の特徴は、上記第１の特徴を前提としており、支持軸部の支持軸が人差し指調整体に対向しているフィンガーサポート部の内面から外面に向けて伸びており、上記フィンガーサポート部に挿脱可能に保持されていることにある。
この考案のボウリング用手首部制御具の第３の特徴は、上記第２の特徴を前提としており、人差し指位置調整部は補充用の人差し指調整体を備えており、この補充用の人差し指調整体の当接面は上記人差し指調整体の基端部側に向けてかつ人差し指の他方の側面に向けて当接可能に膨出されており、開き状態にある上記人差し指と上記補充用の人差し指調整体との隙間を充足するものであることにある。
この考案のボウリング用手首部制御具の第４の特徴は、上記第１乃至第３のいずれかの特徴を前提としており、リストサポート部が基端側を前腕側に伸ばしかつ上記前腕の端部の両側を囲む湾曲状に形成した補強サポート部を備えており、この補強サポート部にはその両側の各突出部に係合部を通じて係脱可能に補強固定バンドを取り付けてあることにある。
この考案のボウリング用手首部制御具の第５の特徴は、上記第１乃至第４のいずれかの特徴を前提としており、ハンドサポート部であって手の甲側と対向する内面には止着部を取り付けてあり、この止着部は上記手を覆うグロウブに取り付けかつ上記止着部と対向的に配置されている止着部に着脱可能であることにある。
【考案の効果】
【０００６】
この考案のボウリング用手首部制御具によれば、人差し指位置調整部の存在によりプレイヤーであるボウラーの人差し指の太さに応じて人差し指の位置を微調整できるので、投球時に人差し指がぶれず、この人差し指の位置が安定され、この結果、リリースが円滑になり、スコアーの向上を期待することができる。そして、最適な位置に調整された人差し指を人差し指固定バンドにより固定するので、上記効果は、一層高まる他に、ボールの変化を自由に設定することができる。さらに、人差し指の位置がボウラーに適したものに微調整され固定されるから、オーバーターンを抑制することができる。
【図面の簡単な説明】
【０００７】
【図１】この考案に係るボウリング用手首部制御具を示す底面図であって、リスト及びハンドの各固定バンドの一部を省略している図である。
【図２】この考案に係るボウリング用手首部制御具を示す平面図であって、リスト及びハンドの各固定バンドの一部を省略している図である。
【図３】この考案に係るボウリング用手首部制御具における本体の内面に手首部を当てている状態を示す底面図であって、リスト及びハンドの各固定バンドの一部を省略している図である。
【図４】図１のＩＶ−ＩＶ線拡大断面図である。
【図５】図１のＶ−Ｖ線拡大断面図である。
【図６】この考案に係るボウリング用手首部制御具の人差し指位置調整部における支持軸部による人差し指調整体の支持構造を示す拡大側面図である。
【図７】この考案に係るボウリング用手首部制御具における補強固定バンドを示す拡大底面図であって、一部を省略している図である。
【図８】この考案に係るボウリング用手首部制御具の人差し指位置調整部における補充用の人差し指調整体の使用状態を示す拡大底面図である。
【考案を実施するための形態】
【０００８】
この考案に係るボウリング用手首部制御具について図面を参照しながら説明する。
図１〜図３に示すボウリング用手首部制御具は、手Ｈの甲側に対応する面が内面である本体１と、それぞれが上記本体の内面側に掛け渡すリスト固定バンド２、ハンド固定バンド３、人差し指固定バンド４及び補強固定バンド５とを備えている。
【０００９】
図１〜図３において、本体１は、アルミのような金属材など軽量な板材により形成され、上記内面側がウレタンのような弾性材（クッション材）６で覆われている。本体１は、手首Ｌをこの手首の上側から被覆して装着するリストサポート部１ａと、手Ｈを上側である甲側から被覆して装着するハンドサポート部１ｂと、上記手の指のうち、人差し指Ｆを上側から被覆して装着するフィンガーサポート部１ｃとを備えている。各サポート部１ａ，１ｂ，１ｃは一体的に形成されて本体１を構成している。
本体１において、基端側（図１下側）にリストサポート部１ａが、このリストサポート部に連続して上記基端側とは反対側にハンドサポート部１ｂが、このハンドサポート部の先端側（図１上端側）にフィンガーサポート部１ｃがそれぞれ配置されている。ハンドサポート部１ｂは、リストサポート部１ａとフィンガーサポート部１ｃとの間に位置し、本体１の主要な位置を占めている。
【００１０】
図１〜図３に示すリストサポート部１ａは、使用時に、手首Ｌをその上側から上面部に当接して覆うことができるように湾曲状に形成されている。リストサポート部１ａの内面に貼り合わせてある弾性材６は、この内面と人差し指Ｆ、手首Ｌ及び前腕ＦＡの端部ＦＡａの各上面部とが直接接触するのを防止して、装着状態を和らげるために設けられている。
リストサポート部１ａの基端（図１下端）には、前腕ＦＡの端部ＦＡａを上側から覆う湾曲状の補強サポート部１ａ１が連続され、リストサポート部の一部分を構成している。補強サポート部１ａ１の両側（図１左右両側）は山形状に屈曲形成された突出部１ａ１１となっており、両突出部が互いに対向している。各突出部１ａ１１を有する補強サポート部１ａ１は、リストサポート部１ａの基端側において、Ｔ字形（図１参照）となっている。そして、補強サポート部１ａ１、リストサポート部１ａの延長上に設けられているが、図４の上側の開口端のレベルは補強サポート部のそれより高くなっている。このため、補強サポート部１ａ１は深い溝形になっており、前腕ＦＡの端部ＦＡａを腕の幅方向から覆うことができる。
【００１１】
図１〜図３において、ハンドサポート部１ｂは、手Ｈの上側である甲の側から上面部を覆うことができるように湾曲状に形成されている。ハンドサポート部１ｂの内面に貼り合わせてある弾性材６は、この内面と手Ｈの甲との接触装着状態を和らげている。
【００１２】
図１、図２、図３並びに図５及び図６に基づいて、フィンガーサポート部１ｃについて説明する。
フィンガーサポート部１ｃは、プレイヤーであるボウラーの利き腕（図３では右腕）の人差し指Ｆの大きさに適合するように、換言すれば、常識的な人差し指の大きさに適用して、上記人差し指を支えることができる程度の外形を有する。フィンガーサポート部１ｃの内面に貼り合わせてある弾性材６は、この内面と人差し指Ｆの上面部との接触を和らげている。
【００１３】
ところで、フィンガーサポート部１ｃには、図１〜図３に示すように人差し指位置調整部７を設けてある。
人差し指位置調整部７は、受け体７１、人差し指調整体７２及び支持軸部７３を備えている。
受け体７１は、人差し指Ｆの一方の側面（図３右側面）を受け面７１ａで受ける役割を果たすものである。受け体７１は、図１に示すように人差し指位置調整部７の一側（図右側）の縁に沿って、弾性材６の内面上に固定的に取り付けられている。受け体７１は、人差し指Ｆの一方の側面が当接することを考慮して、細長くかつ全体を弾性部材により形成してある。もっとも、受け体７１は、少なくとも人差し指Ｆの一方の側面が当接する受け面７１ａについてだけ、弾性部材により構成して、人差し指の側面との接触を和らげるにようにしても良い。
人差し指調整体７２は、人差し指Ｆの他方の側面（図３左側面）を当接面７２ａで押える役割を果たすものである。人差し指調整体７２は、図１に示すように人差し指位置調整部７の他側（図左側）の縁に沿って細長く形成されている。受け体７１及び人差し指調整体７２の双方の対向面（受け面７１ａと当接面７２ａ）で人差し指Ｆを当接可能に保持するものである（図５参照）。人差し指調整体７２の材質についても、受け体７１と同様に、全体が弾性部材からなるものであっても良いが、少なくとも人差し指Ｆの他方の側面が当接する当接面７２ａについては弾性部材により構成するのが良い。人差し指調整体７２は、基端部（図１下端部）が支持軸部７３に軸受され、この支持軸部を中心として振り子のように回転可能であって、かつ回転角度を調整することができる。
図３に示すように、受け体７１と人差し指調整体７２との間で人差し指Ｆの両側面を挟持可能である。
人差し指調整体７２は支持軸部７３にきつく取り付けられており、人差し指調整体の動きが摩擦的に行えるようにしてある。
【００１４】
ここで、支持軸部７３による人差し指調整体７２の支持構造について、主に図６を参照して説明する。
人差し指調整体７２の基端部（図１下端部）から支持軸であるねじ軸７３１が図６の下方に伸びている。ねじ軸７３１の頭部７３１ａは人差し指調整体７２内に埋設され固定されている。ねじ軸７３１には図６上方から下方に向けて、座金７３２、コイルばね７３３、リング状の座板７３４及びナット部材である蝶ねじ７３５がそれぞれ順次配置されている。座金７３２はねじ軸７３１の頭部７３１ａに固着されている。緩み止め用のコイルばね７３３はねじ軸７３１の外周部に掛け回されており、図６上端部は座金７３２の粗面に摩擦的に接触して回転が抑制されている。座板７３４はねじ軸７３１に嵌挿され、蝶ねじ７３５はねじ軸の図下端部側からねじ込まれている。
また、フィンガーサポート部１ｃには、その内面（図６上面）から外面（図下面）に及ぶ長さのパイプ７３６が埋め込まれている。パイプ７３６内にはねじ軸７３１及びコイルばね７３３が嵌挿されている。パイプ７３６の図６上端開口部外周にリング状の座７３６ａが嵌め込まれ固着されている。座７３６ａの上面は粗面となっており、座金７３２の粗面と互いに当接している。
フィンガーサポート部１ｃの内面側（図６上面側）の人差し指調整体７２は、ねじ軸７３１がパイプ７３６を貫通して、フィンガーサポート部の外面側（図下面側）に突出されている。この突出端側の蝶ねじ７３５を締め付けることにより、座板７３４はコイルばね７３３を圧縮しながら、フィンガーサポート部１ｃの上記外面に接近して行き、やがてフィンガーサポート部の外面に接する。さらに、蝶ねじ７３５の締め付けを継続すれば、その締付け力が座金７３２、パイプ７３６及び座板７３４に及んで、人差し指調整体７２と蝶ねじ７３５とはフィンガーサポート部１ｃを挟持し、人差し指調整体が固定される。蝶ねじ７３５を緩めることにより、人差し指調整体７２がねじ軸７３１、換言すればパイプ７３６を中心として回転可能となり、その角度の調整が可能となる。人差し指調整体７２が損傷したような場合には、蝶ねじ７３５をねじ軸７３１から外して、ねじ軸７３１をパイプ７３６から抜き出し可能にすれば、人差し指調整体はフィンガーサポート部１ｃの上記外面から取り外すことができる。この結果、新たな人差し指調整体に差し替えることができる。
【００１５】
図１〜図７を参照して各固定バンド２，３，４，５について説明する。
図１〜図３に示すように、リスト固定バンド２、ハンド固定バンド３及び人差し指固定バンド４は、リストサポート部１ａ、ハンドサポート部１ｂ及びフィンガーサポート部１ｃにそれぞれ設けられている。
リスト固定バンド２は一端部（図１左端部）をリストサポート部１ａの一方の掛け止め枠８に装着されている。上記一端部を他方の可動ローラー付きの掛け回し枠９内に差し入れて掛け回わして、一方の止着部２ａを他方の止着部２ｂに重ねて、着脱可能に結合させる。リスト固定バンド２はリストサポート部１ａを巻き付けるから、リストサポート部の内面に置かれる手首Ｌを跨ぎながら、この手首に密着させ締め付けて止着部２ａ，２ｂを介して緊結可能となるから、手首が固定される。
ハンド固定バンド３の一端部（図１右端部）にはハンドサポート部１ｂの外面に固着されている。上記一端部に取り付けられている止着部３ｂは、ハンド固定バンド３の他端部（図左端部）の内面側に取り付けてある止着部３ａと着脱可能に結合可能である。
ハンド固定バンド３はハンドサポート部１ｂの内面の手Ｈを囲むことができ、ハンド固定バンドが手の掌に掛け渡され、止着部３ａを止着部３ｂに重ねて、着脱可能に相互の結合を図る。手Ｈは止着部３ａ，３ｂを介してハンドサポート部１ｂの内面に手Ｈの甲が密着され締め付けられ、手が固定される。
このように、リストサポート部１ａの内面に上面部が当接している手首Ｌの下面部側に、そしてハンドサポート部１ｂの内面に上面部（甲）が当接している手Ｈの掌側に、リスト固定バンド２及びハンド固定バンド３を掛け渡して、それぞれ上記各サポート部に巻き付けて締め付けて止着させるので、手首及び手はリストサポート部及びハンドサポート部に固定される。
人差し指固定バンド４は、リスト固定バンド２及びハンド固定バンド３とは異なり、図１に示すように、一端部（図左端部）が自由端であり、他端部が人差し指調整体７２の側面に固着されている（図５）。人差し指固定バンド４は、人差し指調整体７２の角度調整のための回転に伴って移動して、人差し指調整体を確実に図５の上面側から押圧可能にしている。人差し指固定バンド４に固着してある一方の止着部４ａは、フィンガーサポート部１ｃに固着してある他方の止着部４ｂに着脱可能に結合する。
【００１６】
図１〜図３に示す補強固定バンド５は、リストサポート部１ａの一部となっている補強サポート部１ａ１に取り付けてある。
補強固定バンド５の取付け方法に関し、図４及び図７に示す例では、補強固定バンド５が、補強サポート部１ａ１の両側の突出部１ａ１１に係合部５１を通じて着脱可能に装着されている。すなわち、補強固定バンド５は、補強サポート部１ａ１の中央部に対応する中間部を挟んで袋状の係合部５１が開口部５１ａ（図４）を対向させて固着されている。
図４に示すように、補強固定バンド５を補強サポート部１ａ１の図下側から巻いた状態で、各係合部５１の開口部５１ａを開けて、その内部に補強サポート部１ａ１の両側の突出部１ａ１１を差し入れる。このようにすることにより、補強固定バンド５は各係合部５１を介して補強サポート部に係止され、固定される。
補強固定バンド５を前腕ＦＡの手首Ｌ側の端部ＦＡａに巻き付けて、補強サポート部１ａ１の内面を前腕ＦＡの端部の上面部に密着させ締め付けて止着させる。
止着部における止着手段としては、例えば図７に示すように、面ファスナーなどからなる止着部５ａ，５ｂを補強固定バンド５に固着して、締め付け状態を固定する。一方の止着部５ａは補強固定バンド５の図７左端部の外面（図裏面）に、他方の止着部５ｂは右端部の内面（図表面）に、それぞれ縫着されている。締め付け時には、止着部５ａと止着部５ｂとは、互いにその対向する位置を調整してから止着する。
【００１７】
次に、この考案に係るボウリング用手首部制御具の使用方法を図１〜図３に基づいて説明する。
まず、プレイヤーであるボウラーは、図１に示すように本体１の内面の弾性材６側をプレイヤー側に向けたら、利き腕の手首Ｌ及び前腕ＦＡの端部ＦＡａの各上面部並びに手Ｈの甲及人差し指Ｆの上面部をリストサポート部１ａ及び補強サポート部１ａ１並びにハンドサポート部１ｂ及びフィンガーサポート部１ｃのそれぞれの内面側から弾性材６に当接させる。
人差し指Ｆをフィンガーサポート部１ｃにセットする際、人差し指位置調整部７における受け体７１と人差し指調整体７２との間に位置させる。そして、プレイヤーの人差し指Ｆの太さに応じて、支持軸部７３を中心として人差し指調整体７２を回転させて、この人差し指調整体と受け体７１との間隔を微調整して、最適な間隔で受け体を人差し指調整体７２とにより、人差し指Ｆを挟持する。
その後、人差し指固定バンド４をフィンガーサポート部１ｃに巻き付け、人差し指固定バンドは、その押圧力で人差し指Ｆを弾性材６との間で堅く挟んでこの人差し指を固定する。こうすることにより、微調整され、良い位置に設定された人差し指Ｆは確実に制御されることになる。
そして、リスト固定バンド２を手首Ｌに渡してリストサポート部１ａに巻き付け、上記リスト固定バンドにより手首に弾性材６側に押圧力を付与して手首をリストサポート部に固定する。リストサポート部１ａの補強サポート部１ａ１においても、補強固定バンド５を前腕ＦＡの端部ＦＡａに渡して、この補強固定バンドと弾性材６との間で高い挟持力により前腕の端部を補強サポート部に固定する。
また、ハンド固定バンド３を掌に渡してハンドサポート部１ｂに巻き付け、このハンド固定バンドで手Ｈに対して弾性材６に向けて押圧力をかけて、手をハンドサポート部に固定する。
上記各固定作業により、手首Ｌ、手Ｈ及び人差し指Ｆはしっかり各サポート部１ａ，１ｂ，１ｃに支えられながら、それぞれの位置が固定されると共に、手首に連なる前腕ＦＡの端部ＦＡａも規制が補強されるから、プレイヤーであるボウラーはぶれずに安定した状態で投球が可能となる。
【００１８】
人差し指位置調整部７において、ボウラーが投球時により安定化を高めるために、人差し指Ｆを親指側に傾けて中指との間隔を広げる場合がある。この場合、人差し指調整体７２の基端側と人差し指Ｆの根元側との間に隙間があいて、ぶれの可能性のおそれがある。
このような場合に容易に対応できるような補充用の人差し指調整体を本来の人差し指調整体７２とは別に準備して、必要に応じて交換可能にしておけば、プレイヤーに好都合である。
そこで、図８を参照して人差し指調整体７２Ａについて説明する。
補充用の人差し指調整体７２Ａの構成は前記人差し指調整体７２のそれと共通するので主に相違点について説明し、その他の共通点については必要に応じて説明する。共通する部分を示す符号は図６に用いた符号をそのまま使用する。
補充用の人差し指調整体７２Ａは当接面７２Ａａ側であって、かつねじ軸７３１側に向けて膨出させて上記隙間を充足可能にする形状としてある。このため、図示するように人差し指が開いても、人差し指Ｆの一側面を受け体７１の受け面７１ａで受けると共に、当接面７２Ａａの主要部が他側面に接触する。この結果、補充用の人差し指調整体７２Ａは受け体７１との間で確実に人差し指Ｆを挟持して、投球時の人差し指のぶれを規制することができる。
人差し指調整体７２を補充用の人差し指調整体７２Ａに交換するには、図６に示す蝶ねじ７３５をねじ軸７３１から外して、人差し指調整体７２をフィンガーサポート部１ｃのパイプ７３６から外方に引き出して、取り出す。そして、フィンガーサポート部１ｃの内面からパイプ７３６に補充用の人差し指調整体７２Ａに取り付けてあるねじ軸７３１を差し込み、フィンガーサポート部の外面に突出したねじ軸の突出端に蝶ねじ７３５を嵌め、これをねじ込んで行き、締め付けることにより補充用の人差し指調整体７２Ａがフィンガーサポート部の内面に固定される。蝶ねじ７３５の締め付け力を調整して、補充用の人差し指調整体７２Ａの角度調整をして、交換作業を終える。
【００１９】
ボウラーの投球時に手Ｈに嵌めるグロウブ（手袋）の固定化を図るために、図１に示す例では、ハンドサポート部１ｂの内面に面ファスナーなどからなる止着部１０を取り付けてある。ボウラーの利き腕側の手に嵌めるグロウブ（図示せず。）の甲側の上面部にも止着部を固着しておき、投球時に止着部１０にグロウブの止着部を重ね合せて相互に結合させれば、グロウブはハンドサポート部１ｂの内面にしっかり固定され、手Ｈの動きも規制される。
また、この例では、ボウリング用手首部制御具の保管時にも、本体１の内面にグロウブを着脱可能に納めておくことができることから、グロウブの紛失や使用時の保管場所の忘却を防止することができる。
【００２０】
図示するボウリング用手首部制御具によれば、人差し指位置調整部７における受け体７１と可動式の人差し指調整体７２とにより人差し指Ｆを微調整しながら挟持できるので、投球時の人差し指のぶれを抑制することができる。また、手首Ｌ及び手Ｈ（人差し指Ｆを含む。）を上側から各サポート部１ａ，１ｂ，１ｃでカバーしながら、リスト固定バンド２及びハンド固定バンド３の他にも、補強固定バンド５及び人差し指固定バンド４を設けて固定するから、従来例と比較して、より一層、余分な手首と手の動きが抑制され、手首及び手を真っすぐに保ったままスイングができ、リリースの動きが安定することができる。さらに、人差し指固定バンド４は人差し指調整体７２，７２Ａに直接取り付けて、人差し指調整体の動きに従動することができるので、人差し指Ｆの抑えが確実に行える。
【００２１】
本体の構成に関して、リストサポート部１ａ、ハンドサポート部１ｂ及びフィンガーサポート部１ｃを一体的に設ける例として、図１に示す例では各サポート部１ａ，１ｂ，１ｃを一体成形により本体１を形成した。上記構成は、上記の例に限られず、従来例に開示されているようにリストサポート部１ａに相当する部材と、ハンドサポート部１ｂに相当する部材のそれぞれをジョイント部材を通じて可動式に結合するようにしても良い。
止着部２ａ，２ｂ，３ａ，３ｂ，４ａ，４ｂ，５ａ，５ｂにおける止着手段としては、面ファスナーなどを用いるが、対となる止着部同士を図示の例のように面ファスナーとしても良いが、どちらか一方を面ファスナーとし、他方をこの面ファスナーに代わる係着部材としても良い。
人差し指調整体７２，７２Ａは、図示の例では取付け取外し可能であるから、別の人差し指調整体に差し替えることができ、商品価値を高めることができる。
補強固定バンド５はリストサポート部１ａに連なる補強サポート部１ａ１の突出部１ａ１１を利用して係合部５１を介して着脱が可能であるため、手首Ｌや前腕ＦＡの端部ＦＡａを補強すると共に必要に応じて別の補強固定バンドに差し替えることができ、実用性が高く、商品価値を高めることができる。もっとも、リストサポート部１ａに連なる補強サポート部１ａ１に相当するサポート部や突出部がある場合に、補強固定バンド５を利用することができる。係合部５１の構成は袋状である必要はなく、例えばリング状でも良く、突出部１ａ１１を係脱可能に保持できればその構成は問わない。
【符号の説明】
【００２２】
Ｆ                    人差し指
ＦＡ                  前腕
ＦＡａ                前腕の端部
Ｈ                    手
Ｌ                    手首
１                    本体
１ａ                  リストサポート部
１ｂ                  ハンドサポート部
１ｃ                  フィンガーサポート部
２                    リスト固定バンド
３                    ハンド固定バンド
４                    人差し指固定バンド
４ａ，４ｂ            止着部
５                    補強固定バンド
５ａ，５ｂ            止着部
５１                  係合部
７                    人差し指位置調整部
７１                  受け体
７１ａ                受け面
７２，７２Ａ          人差し指調整体
７２ａ，７２Ａａ      当接面
７３                  支持軸部
７３１                ねじ軸（支持軸）
７３５                蝶ねじ
１０                  止着部
【図１】
0003204934.tif 000003
【図２】
0003204934.tif 000004
【図３】
0003204934.tif 000005
【図４】
0003204934.tif 000006
【図５】
0003204934.tif 000007
【図６】
0003204934.tif 000008
【図７】
0003204934.tif 000009
【図８】
0003204934.tif 000010